(57)【要約】【課題】周囲が囲まれた袋状編地の中に充填材を入れるために必要となる縫製工程を不要ないしは簡略化することのできる編地の編成方法を提供する。【解決手段】  Ｓ３では、袋状編地３の編成とは異なる編糸を供給する給糸口８を用いて、ＦＢの編針Ｔ,Ｒ,Ｐに掛け目を形成して糸入れを行った後、編針Ｍ,Ｋをニットすることで開口部形成用の編目５ｂの右半分を形成し、コース方向に離れたＦＢの編針Ｆ,Ｂに掛け目を形成する。Ｓ４では、ＦＢの編針Ｄ,Ｈで掛け目を形成する。Ｓ５では、ＦＢの編針Ｉでニットすることで開口部形成用の編目５ｂの３番目を形成し、続いてＦＢの編針Ｆ，Ｂにもニットをする。Ｓ６では、ＦＢの編針Ｄ,Ｇでニットする。開口部形成用の編目５ｂの４番目の編目がＦＢの編針Ｇで形成される。Ｓ８では、Ｓ３〜Ｓ６で形成したＦＢの編針Ｂ，Ｄ，Ｆ，Ｈ，Ｐ，Ｒ，Ｔに係止している編目を編針から外す。【選択図】図２
2016030877.tif 000002
【特許請求の範囲】
【請求項１】
少なくとも前後一対の針床を備える横編機を用いて、周囲が囲まれた袋状編地を有する編地の該袋状編地に開口部を形成する編地の編成方法であって、
袋状編地を編成する工程１と、
前記袋状編地を形成する少なくとも一部の編目に続く開口部形成用の編目を形成するとともに編地の編成に関与しない編針に編糸を供給する工程２と、
前記編地の編成に関与しない編針に供給した編糸を編針から外す工程３と、
前記開口部形成用の編目に続く、あるいは前記開口部形成用の編目と前記袋状編地の編目とに続く編目を形成する工程４、
とを備えることを特徴とする、袋状編地に開口部を形成する編地の編成方法。
【請求項２】
工程２における編地の編成に関与しない編針への編糸の給糸は、開口部形成用の編目を係止する編針から針床の長手方向に離れた前記編地の編成に関与しない編針に給糸させることを特徴とする、請求項１記載の袋状編地に開口部を形成する編地の編成方法。
【請求項３】
工程２の開口部形成用の編目の形成は、袋状編地の編成とは異なる編糸を使用することを特徴とする、請求項１または２記載の袋状編地に開口部を形成する編地の編成方法。
【請求項４】
工程２を行う前に開口部形成用の編目を形成する編針以外の編針のうち、工程２において編成に関与しない編針に供給される編糸が延びる範囲にある編針に係止された編目を、対向する針床の空針に目移し、工程２を行った後に、目移しした編目を元の針床に移し戻すことを特徴とする、請求項１〜３記載の袋状編地に開口部を形成する編地の編成方法。
【発明の詳細な説明】
【技術分野】
【０００１】
本発明は、周囲が囲まれた袋状編地に開口部を形成する編地の編成方法に関する。
【背景技術】
【０００２】
従来から、帽子のツバやぬいぐるみの綿などの充填材を、周囲が囲まれた袋状編地の中に入れるには、例えば、特許文献１にように、筒状編成体の下縁全周を適宜幅内方または外方に折返して、輪状袋部を形成し、充填材としてリング状弾性芯板を挿入した後、折返し縁を筒状編成体に縫着するようにしている。
【先行技術文献】
【特許文献】
【０００３】
【特許文献１】実開平３-１１５６２４号公報
【発明の概要】
【発明が解決しようとする課題】
【０００４】
特許文献１以外の方法として、周囲が囲まれた袋状編地の中に芯材、その他の充填材を入れるには、袋状編地の一部を編成後にカットして充填材を挿入するための開口部を形成する必要がある。しかし、この場合、充填材の挿入後にカットした部分が解れないように縫合等の処置が必要となる。また、編成時に予め開口部を形成することも可能であるが、その場合でも開口部を閉じ合わせるための縫製工程が必要となる。
【０００５】
本発明は、上記事情に鑑みてなされたものであり、周囲が囲まれた袋状編地の中に充填材を入れるために必要となる縫製工程を不要ないしは簡略化することのできる編地の編成方法を提供することを目的とする。
【課題を解決するための手段】
【０００６】
本発明では、少なくとも前後一対の針床を備える横編機を用いて、周囲が囲まれた袋状編地を有する編地の該袋状編地に開口部を形成する編地の編成方法であって、袋状編地を編成する工程１と、前記袋状編地を形成する少なくとも一部の編目に続く開口部形成用の編目を形成するとともに編地の編成に関与しない編針に編糸を供給する工程２と、前記編地の編成に関与しない編針に供給した編糸を編針から外す工程３と、前記開口部形成用の編目に続く、あるいは前記開口部形成用の編目と前記袋状編地の編目とに続く編目を形成する工程４、とを備えることを特徴とする、袋状編地に開口部を形成する編地の編成方法である。
【０００７】
また、本発明では、工程２における編地の編成に関与しない編針への編糸の給糸は、開口部形成用の編目を係止する編針から針床の長手方向に離れた前記編地の編成に関与しない編針に給糸させることを特徴とする。
【０００８】
また、本発明では、工程２の開口部形成用の編目の形成は、袋状編地の編成とは異なる編糸を使用することを特徴とする。
【０００９】
また、本発明では、工程２を行う前に開口部形成用の編目を形成する編針以外の編針のうち、工程２において編成に関与しない編針に供給される編糸が延びる範囲にある編針に係止された編目を、対向する針床の空針に目移し、工程２を行った後に、目移しした編目を元の針床に移し戻すことを特徴とする。
【発明の効果】
【００１０】
本発明によれば、袋状編地を形成する少なくとも一部の編目に続いて開口部形成用の編目を形成する際に、編地の編成に関与しない編針（空針）に編糸を係止させた後、該編針から編糸を外すので編糸が過剰に供給されることになる。この過剰に供給された編糸部分を利用して開口部形成用の編目を拡大させることで充填材を挿入するためのスペース（開口）を確保する。このスペースから充填材を袋状編地内に挿入した後、拡大した開口部形成用の編目を締めつけるようにする。
【００１１】
また、本発明によれば、開口部形成用の編目を形成する際に、開口部形成用の編目を係止する編針から針床の長手方向に離れた編地の編成に関与しない編針に給糸させることで開口部形成用の編目を拡大させるのに十分な糸長を確保することができる。
【００１２】
また、本発明によれば、開口部形成用の編目の形成は、袋状編地の編成とは異なる編糸を使用することで、編糸部分を利用して開口部を閉じる際に、開口部形成用の編糸の端部を二方向から締めることができる。これにより、後工程の作業効率が良くなる。
【００１３】
さらに、本発明によれば、袋状編地の形成後、開口部形成用の編目を形成する予定の位置を除く同じ針床にある編目を、対向する他方の針床の空針に目移しすることで、開口部形成用の編目を係止した編針から針床の長手方向に離れた空針に延びる編糸部分を、袋状編地の外側に配置することができる。これにより、編糸部分を目視で確認しながら後工程を行えるので、作業効率が良くなる。
【図面の簡単な説明】
【００１４】
【図１】図１は、本発明の一実施例の編成方法に従い編成される編地の模式図である。
【図２】図２は、本発明の一実施例の編成方法の一部を示す編成工程図である。
【図３】図３の（ａ）は開口部形成用の編目を緩めて拡大させた状態を示した図、（ｂ）は開口部形成用の編目を締めた状態を示した図である。
【発明を実施するための形態】
【００１５】
以下、図１、２、３を用いて本発明の一実施例としての編成方法を説明する。本実施例で編成に使用する横編機は、前後一対の針床を備えた二枚ベッド横編機であり、各針床間で目移しが可能である。編成に使用する横編機は四枚ベッドでもよく、横編機に備える編針は、べら針または複合針のいずれであってもよい。また説明の便宜のため、編針の数は実際の編成よりも少なくしている。図２では、図中左側の数字は編成ステップ（Ｓ）を示し、左右方向の矢印は編成方向を、上下方向の矢印は目移し方向を示す。ＦＢは前針床を、ＢＢは後針床を示す。大文字のＡ〜ＴはＦＢの編針を、小文字のａ〜ｔはＢＢの編針を示す。また、黒丸印はその編成ステップで形成される編目を、白丸印はその編成ステップの編成以前に形成された編目を、太字のＶ印はその編成ステップで形成される掛け目を、細字のＶ印はその編成ステップの編成以前に形成された掛け目を、×印は編目を編針から外すことを示す。
【実施例】
【００１６】
図１は、本発明の一実施例の編成方法に従い編成される編地の模式図であって、編地１はベース編地２とベース編地２の中央部に周囲が囲まれた２層状の袋状編地３からなる。開口部４は、袋状編地３を形成する一部の編目に続く開口部形成用の編目５ｂによって形成される。開口部形成用の編目５ｂを形成する際に、開口部形成用の編目５ｂを係止した編針から針床の長手方向に離れた空針に給糸させた後、折り返すようにして十分な長さの編糸部分５ｃを得る。
【００１７】
図２は、編地１における袋状編地３の編成とそれに続いて行われる開口部４を形成するための編成ステップを示す。図では袋状編地３の外側に広がるベース２編地を省略している。本実施例では、開口部形成用の編目５ｂはＦＢの編針Ｇ，Ｉ，Ｋ，Ｍの４本を使用して形成する。
【００１８】
Ｓ１では、給糸口７を左から右へ移動させた後、再度左へ移動させて、ＦＢの編針Ａ，Ｃ，Ｅ，Ｇ，Ｉ，Ｋ，Ｍ，Ｏ，Ｑ，ＳおよびＢＢの編針ｔ，ｒ，ｐ，ｎ，ｌ，ｊ，ｈ，ｆ，ｄ，ｂに給糸して袋状編地３の最終コースを編成する。
【００１９】
Ｓ２では、開口部形成用の編目５ｂを形成するＦＢの編針Ｇ，Ｉ，Ｋ，Ｍ以外の編針に係止される編目をＢＢの編針ａ，ｃ，ｅ，ｏ，ｑ，ｓにそれぞれ目移しする。具体的には開口部形成用の編目５ｂを係止する編針以外の編針のうち、後述するＳ３〜Ｓ６において袋状編地３の編成に関与しないＦＢの編針Ｂ，Ｄ，Ｆ，Ｈに供給される編糸が延びる範囲にある編針Ａ，Ｃ，Ｅ，Ｏ，Ｑ，Ｓに係止された編目がこれに該当する。これは、開口部形成用の編目５ｂを形成する後述のＳ３〜Ｓ６において十分な糸長を得るためにＦＢの編針Ｂ，Ｄ，Ｆ，Ｈに供給される編糸を、袋状編地３の外側に配置するためである。これにより、編糸部分５ｃを目視で確認しながら後工程を行えるので、作業効率が良くなる。なお、Ｓ２の編成は省略することができる。
【００２０】
Ｓ３では、袋状編地３の編成とは異なる編糸を供給する給糸口８を用いて、ＦＢの編針Ｔ,Ｒ,Ｐに掛け目を形成して糸入れを行った後、ＦＢの編針Ｍ,Ｋをニットすることで開口部形成用の編目５ｂの右半分を形成し、しかる後、針床長手方向に離れた編地の編成に関与しない編針、すなわちコース方向に離れたＦＢの編針Ｆ,Ｂに掛け目を形成する。
なお、ＦＢの編針Ｔ,Ｒ,Ｐに掛け目を形成して糸入れを行ったのは、ニット時に給糸口８から供給される糸の位置が高くならないようにするためである。
【００２１】
Ｓ４では、ＦＢの編針Ｄ,Ｈで掛け目を形成する。
【００２２】
Ｓ５では、ＦＢの編針Ｉでニットすることで開口部形成用の編目５ｂの３番目を形成し、続いてＦＢの編針Ｆ，Ｂにもニットをする。
【００２３】
Ｓ６では、ＦＢの編針Ｄ,Ｇでニットする。開口部形成用の編目５ｂの４番目の編目がＦＢの編針Ｇで形成される。ＦＢの編針Ｄ,Ｇでニットをした後、給糸口８を編地１の左側まで移動させて糸出しを行う。
【００２４】
Ｓ７では、Ｓ２でＢＢの編針に目移しした編目を元のＦＢの編針Ａ，Ｃ，Ｅ，Ｏ，Ｑ，Ｓに移し戻す。
【００２５】
Ｓ８では、Ｓ３〜Ｓ６で形成したＦＢの編針Ｂ，Ｄ，Ｆ，Ｈ，Ｐ，Ｒ，Ｔに係止している編目を編針から外す。図示しないがＳ８以降はベース編地２の編成が行われ編地１の編成が完了する。Ｓ８で編針から外された編糸部分５ｃは図１に示すように編地の表面側に現れる。
【００２６】
次に上記した方法で編成された編地１の袋状編地３に後工程で充填材６を挿入させる方法について説明する。図３は、開口部形成用の編目５ｂを緩めた状態と、開口部形成用の編目５ｂを締めることで開口部４を閉じた状態とを示すループ図である。図３（ａ）で示すように、編針から払われた編糸部分５ｃを開口形成用の編目５ｂに引き込むことで開口形成用の編目を緩めて充填材６を挿入するためのスペースを形成できる。これにより、充填材６を袋状編地３の中に入れることができる。そして、図３（ｂ）で示すように、給糸口８を用いて供給した異なる編糸である開口部形成用の編糸の始端５ａと開口部形成用の編糸の終端５ｄを使用して締めることで、縫製せずに開口部４を閉じることができる。なお、開口部形成用の編目５ｂの形成は、袋状編地３の編成に使用する編糸を供給する給糸口７とは異なる給糸口８を使用しているが、給糸口７を使用して行っても構わない。開口部形成用の編目５ｂの形成は、袋状編地３の編成とは異なる編糸を使用することで、編糸部分５ｃを利用して開口部４を閉じる際に、開口部形成用の編糸の端部を二方向から締めることができる。袋状編地３の編成と同じ編糸を使用した場合、開口部形成用の編目５ｂの編糸端部は、左右どちらか一方にしかできず、開口部形成用の編目５ｂの編糸端部を一方向からしか締めることができない。それゆえ、開口部形成用の編目５ｂの編糸端部を二方向から締めることで、開口部４を閉じる際の後工程の作業を効率よくできる。また、Ｓ６では、編成後に給糸口８を編地１の左側まで移動させて開口部形成用の編糸の終端５ｄを左に配置しているが、開口部形成用の編糸の終端５ｄを右側に配置しても開口部４を閉じることができる。
【００２７】
図３（ｂ）では、開口部形成用の編糸の始端５ａと開口部形成用の編糸の終端５ｄで開口部４を閉じているが、その後は公知の技術で糸始末を行う。また、閉じた開口部４から編糸が緩んでこないように、すくい縫い等の処置を行ってもよい。なお、本実施例では袋状編地３の一部を開口部４とし、４つの編目を開口部形成用の編目５ｂとしたが、袋状編地３の全部に開口部４としてもよい。開口部形成用の編目５ｂの数は編地のゲージや挿入する充填材６の大きさ等により適切に決めればよい。また、十分な長さの編糸部分５ｃが得られればよいので必ずしもＳ３〜Ｓ６の順に行う必要はない。また、編糸部分５ｃの形成は、実施例で示した編針とは異なる編針を使用してもよい。また、実施例では、袋状編地３の開口部４は袋状編地３とベース編地２との境目に形成されているが、袋状編地３の途中であっても形成できる。
【００２８】
なお、本実施例では、開口部形成用の編目５ｂの編目を拡大するために開口部形成用の編目５ｂからコース方向に離れた空針を利用した。しかし、これに代えて開口部形成用の編目５ｂを形成する編針と対向する近傍の編針を利用することも可能である。その場合、対向する針床に目移しのための空針が必要なため、Ｓ１の袋状編地３の編成は針抜き編成が必須となる。この場合、十分な糸長の編糸部分５ｃを得るためにより多くの空針を使用したり、形成する掛け目やニットの数を増やすようにすればよい。要は充填材６を挿入するためのスペースを確保できるものであれば構わない。
【符号の説明】
【００２９】
ＦＢ 前針床 ＢＢ 後針床
１  編地
２  ベース編地
３  袋状編地
４  開口部
５ａ  開口部形成用の編糸の始端
５ｂ  開口部形成用の編目
５ｃ  編糸部分
５ｄ  開口部形成用の編糸の終端
６  充填材
７  ８  給糸口
【図１】
2016030877.tif 000003
【図２】
2016030877.tif 000004
【図３】
2016030877.tif 000005